(57)【特許請求の範囲】
【請求項１】
燃焼ガスを発生しない調理器具からの調理臭を捕集するフード部の天板上にフード部の送風機の吐出口に連通する脱臭ユニットを設け、該脱臭ユニットのユニット壁に清浄化した空気を室内へ給気する給気口を設けたレンジフードファンにおいて、
前記脱臭ユニットは、フード部の天板に取り付けた内部を中空とする偏平箱状のボックス内に脱臭フィルターを水平状に支承すると共にボックス内に前記吐出口を始端とし捕集した空気を脱臭フィルターの上方から通過させてその脱臭フィルター下位レベルのボックスの前壁部に導く気体流路を構成し、前記給気口となるルーバーを気体流路の終端と対応する前記ボックスの前壁部に設けたことを特徴とするレンジフードファン。
【請求項２】
前記脱臭フィルターを、無機系イオン吸着型の顆粒状消臭剤にしたことを特徴とする請求項１記載のレンジフードファン。
【請求項３】
前記ルーバーが室内への還流をフード部の前面に沿って給気するものであることを特徴とする請求項１記載のレンジフードファン。
【請求項４】
前記ルーバーにおける風向板の向き調節手段が、モータ及びそのモータに連係され風向板を傾動させる連絡部とを備えていることを特徴とする請求項３記載のレンジフードファン。
【請求項５】
前記ルーバーにおける風向板の向き調節手段が、フード部に設けられた人感センサーと、その人感センサーに連絡され人を感知した時、風向板をフード部前方の室天井方向に傾動させる駆動部とを備えていることを特徴とする請求項３記載のレンジフードファン。
【請求項６】
前記ルーバー上方のボックス前壁部分を開閉可能にして脱臭フィルターの取出口を構成していることを特徴とする請求項２乃至５いずれか１項記載のレンジフードファン。
【請求項７】
前記ボックスの前壁部がフード部を室壁に取り付けた際、室天井との間を塞ぐ幕板を兼用していることを特徴とする請求項２乃至６いずれか１項記載のレンジフードファン。
【請求項８】
前記フード部がその天板上にスライド金具を、また脱臭ユニットがその下面にそのスライド金具に前方からスライドして差し込み係合する被係合部を各々備えていることを特徴とする請求項１乃至７いずれか１項記載のレンジフードファン。
【請求項９】
前記燃焼ガスを発生しない調理器具の作動及びその停止に連動する送風機が前記調理器具の作動を停止した後、遅延タイマーの作動によって所定時間運転することを特徴とする請求項１乃至８いずれか１項記載のレンジフードファン。
【発明の詳細な説明】
【０００１】
【発明の属する技術分野】
本発明は、燃焼ガス（ＣＯ2 等）を発生しない調理器具（電気コンロ、電磁コンロ等）からの臭気を浄化（脱臭）して室内に循環する調理臭気処理装置、詳細にはレンジフードファンに関するものである。
【０００２】
【技術背景】
燃焼ガスを発生しない調理器具から発生する臭い成分を浄化する浄化装置を備えた換気用の設備として特開平6-257811号公報、特開平6-257812号公報等が知られている。
これら先行技術は、調理器具を備えた調理台と、フード部と、その調理台とフード部とを連絡する浄化装置を内蔵した連絡路とで構成され、調理器具から発生する調理臭を浄化装置で浄化し、これを調理者とそれ以外の室内とを遮断するエアーカーテン流として使用している。
燃焼ガスを発生しない電気コンロ、電磁プレート等の調理器具から発生する調理臭を脱臭しクリーンにして室内に還流できれば、住宅回りの環境を改善することができると共に、空調エネルギーが室外に放出されず省エネルギーにもなり、環境保全、省エネの両面に優れた調理臭処理システムとなる。
【０００３】
【発明が解決しようとする課題】
今日、住宅回りの環境を保全するエコロジーの観点から燃焼ガスを発生しない電気コンロ、電磁プレートを調理器具に使用する家庭が増加している。
ところで、電気コンロ、電磁プレートからの調理臭を浄化するシステムにするとなると前記する調理臭気処理装置に改造することになる。
しかし、全体改造を必要とし、大変であるばかりでなく、改造コストも高騰する。
また、燃焼ガスを発生しない電気コンロ、電磁プレートでは調理時に窒素系（代表成分：トリメチルアミン）、硫黄系（代表成分：硫化メチル）、脂肪酸系（代表成分：酢酸）等の成分を発生させるが、このトリメチルアミンは魚の臭い、硫化メチルは腐敗系、酢酸は酸っぱい臭いとなる。この臭気を効果的に浄化するにも工夫を要する。
【０００４】
本発明は、従来事情に鑑みてなされたもので、その目的とする処は燃焼ガスを発生しない調理器具上方の室壁の所定位置に取付けて調理器具からの調理臭を除去して室内に還流するレンジフードファンを提供することにある。
【０００５】
【課題を解決するための手段】
上記目的を達成するために講じた技術的手段として、請求項１は燃焼ガスを発生しない調理器具からの調理臭を捕集するフード部の天板上にフード部の送風機の吐出口に連通する脱臭ユニットを設け、該脱臭ユニットのユニット壁に清浄化した空気を室内へ給気する給気口を設けたレンジフードファンにおいて、前記脱臭ユニットを、フード部の天板に取り付けた内部を中空とする偏平箱状のボックス内に脱臭フィルターを水平状に支承すると共にボックス内に前記吐出口を始端とし捕集した空気を脱臭フィルターの上方から通過させてその脱臭フィルター下位レベルのボックスの前壁部に導く気体流路を構成し、前記給気口となるルーバーを気体流路の終端と対応する前記ボックスの前壁部に設けたことを要旨とする。
請求項２は請求項１記載の脱臭フィルターを、無機系イオン吸着型の顆粒状消臭剤にしたことを要旨とする。
請求項３は請求項１記載のルーバーが室内への還流をフード部の前面に沿って給気するものであることを要旨とする。
請求項４は請求項３記載のルーバーにおける風向板の向き調節手段が、モータ及びそのモータに連係され風向板を傾動させる連絡部とを備えていることを要旨とする。
請求項５は請求項３記載のルーバーにおける風向板の向き調節手段が、フード部に設けられた人感センサーと、その人感センサーに連絡され人を感知した時、風向板をフード部前方の室天井方向に傾動させる駆動部とを備えていることを要旨とする。
請求項６は請求項１乃至５いずれか１項記載のルーバー上方のボックス前壁部分を開閉可能にして脱臭フィルターの取出口を構成していることを要旨とする。
請求項７は請求項１乃至６いずれか１項記載のボックスの前壁部がフード部を室壁に取り付けた際、室天井との間を塞ぐ幕板を兼用していることを要旨とする。
請求項８は請求項１乃至７いずれか１項記載のフード部がその天板上にスライド金具を、また脱臭ユニットがその下面にそのスライド金具に前方からスライドして差し込み係合する被係合部を各々備えていることを要旨とする。
請求項９は請求項１乃至８いずれか１項記載の燃焼ガスを発生しない調理器具の作動及びその停止に連動する送風機が前記調理器具の作動を停止した後、遅延タイマーの作動によって所定時間運転することを要旨とする。
【０００６】
上記技術的手段によれば下記の作用を奏する。
（請求項１）燃焼ガスを発生しない調理器具上方の室壁所定高さ位置へのフード部の取付け施工で設置される。臭気を送風機で捕集しフード部の天板上の脱臭ユニット内を通過させて脱臭しユニット壁から室内に還流する。
脱臭フィルターを水平状に支承しているため、脱臭ユニットは偏平箱状で良くコンパクトで場所を取らない。
（請求項２）無機系イオン吸着型の顆粒状消臭剤はその機能で四大悪臭と言われるアンモニア、トリメチルアミン、硫化水素、メチルメルカプタンは勿論、吉草酸、フェノール、ＮＯx 等を効果的に脱臭する。
（請求項３）送風機の運転中は脱臭ユニットからの室内への還流をフード部の前面に沿って吐出して送風機の機能で何度でも吸引して脱臭することによって臭気の飛散を防止し併せて調理器具から立ち昇る臭気の吸込効果を向上させる。
（請求項４）前記還流は調理者自信が吹き付けられないように向きを変えることができる。
（請求項５）前記還流の向きの変更は調理者の感知で自動的に行われる。
（請求項６）洗浄、交換等する時には脱臭フィルターを室内側から簡単に取り外せる。
（請求項７）脱臭ユニットの前壁部が背後の隠し板となる。
（請求項８）フード部と脱臭ユニットとに分解して施工現場に搬入し、フード部を室壁の所定高さ位置に取付け施工した後脱臭ユニットを取付けたり、施工現場でフード部に脱臭ユニットを組み付けた後室壁に取付け施工することができる。
（請求項９）燃焼ガスを発生しない調理器具の作動を停止しても遅延タイマーが働いて送風機が所定時間運転を続行し、調理器具を停止した後に調理物から立ち昇る臭気や室内に紛れる臭気を脱臭して室内を浄化する。
【０００７】
【発明の実施の形態】
次に、本発明の実施の形態を図面に基づいて説明する。
図１乃至図５は本発明レンジフードファンの実施の形態を示している。
【０００８】
レンジフードファンＡは平型のフード部ａ１と、そのフード部ａ１の天板11上に設けられる脱臭ユニットａ２から構成されている。
【０００９】
フード部ａ１は下面を開放した薄箱状を呈するフード本体１の下部に捕捉空間21を確保するように横設した油脂分等を除去するフィルター31の背後に送風機41を収容した従来から周知な構造になっており、送風機41のケーシング41ａを天板11に取付吊持し、天板11に送風機41（詳細にはケーシング）の吐出口51を開口している。
【００１０】
脱臭ユニットａ２は前記するフード本体１の平面視形状を有し下面を開放した偏平箱状のボックス２と、そのボックス２内に収容された脱臭フィルター３と、その脱臭フィルター３で脱臭された清浄化した空気を室内に給気還流する給気口４と、フード部ａ１の天板11との取付部となる被係合部５とを備えている。
【００１１】
前記ボックス２は図１に示すように内部中空とする側面視略下向Ｌ形状を呈してなり、前壁部12をレンジフードファンＡ上方の幕板（隠し板）100 を兼用するものであり、その鉛直部２’となる両側の側壁部22、22の下縁と前壁部12の下縁がフード本体１前端部における一段低い段部61の上面に丁度載置されるようになっている。
また、このボックス２は前壁部12を除く側壁部22の下縁及び後壁部32の下縁に被係合部として外向きフランジ５を水平状に折曲形成している。
【００１２】
前記脱臭フィルター３は図４、図５に示すように顆粒状に造粒された無機系イオン吸着剤13の上側に消臭剤添着ウレタンフォーム23を配置しその消臭剤添着ウレタンフォーム23の上側と無機系イオン吸着剤13の下側に抗菌剤を練り込んだ例えばポリプロピレンからなる不織布33、33を配置してサンドイッチした状態で樹脂製や金属製の上下一対の上箱43ａ、下箱43ｂからなるカートリッジケース43に収容されている。
この上箱43ａ、下箱43ｂは芯金に網体を編み組みしたものや多孔を有するものであり、下箱43ｂの周側面にエンボス43ｂ’を、また上箱43ａの周側面にそのエンボス43ｂ’が掛合する穴43ａ’を設けて係脱可能に構成してある。
【００１３】
前記無機系イオン吸着剤13の造粒は、無定形酸化亜鉛であり、これを極めて微細な状態で複分解して混合した後、造粒した周知のものである。
また、無機系イオン吸着剤13の造粒は表面が弱いイオン化した状態を採っており、亜鉛はプラスイオンに、シラノール基はマイナスイオンにイオン化してイオン化した物質を吸着する性質を有し、プラスイオンとマイナスイオンとの両方とを備えていることから酸とアルカリの両方の極性ガスを吸着することができる。更に、この無機系イオン吸着剤13は一度吸着したものは温度の変化や１２０度までの加熱に対して再放出がなく、耐水、耐洗濯性は勿論のこと、５００度までの耐熱性を有し、イオン吸着型故にガスの吸着が素早く、また水で洗うと脱臭性能を回復する特性をも備えたものであり、四大悪臭と言われるアンモニア、トリメチルアミン（魚の臭い）、硫化水素（腐敗臭）、メチルメルカプタンは勿論、吉草酸、フェノール、ＮＯx 等を効果的に脱臭することができる。
【００１４】
前記カートリッジケース43は図示するように前記鉛直部２’の中間高さ部分の前壁部12や側壁部22、22に設けた受け部43’に上方から取り出し可能に水平状に支承されており、このカートリッジケース43が前記段部61の頂部部分を境にしてボックス２内を上下に２分する区割壁として機能するようになっている。
【００１５】
給気口４は前記受け部43’に支承されたカートリッジケース43下位レベルのボックス２の前壁部12に設けられ風向板14ａ…を傾動可能とするルーバー14で構成されている。
【００１６】
また、前記ボックス２の前壁部12におけるカートリッジケース43よりも上位レベルの部分にカートリッジケース43の取出口６を開閉する扉16を備えている。
【００１７】
前記フード本体１には前記凹段部61上面を除く天板11両側縁及び前記吐出口51背後位置の天板11部分にその天板11上面との間を前記外向きフランジ５の差し入れ空間とするＬ型のスライド金具７が平面視コ形状を形作るように取付けられている。
このスライド金具７の取り付けは本実施の形態では図３に示すように天板11に予め下孔11ａを開孔しておき、この下孔11ａにカシメネジ11ｂを差し込み係止し、スライド金具７を挿通するネジ11ｃをカシメネジ11ｂのネジ孔11ｂ’に螺合させることによってカシメネジ11ｂの薄肉部11ｂ”を天板11側に押し潰してその押潰部とカシメネジ11ｂの係止鍔とで天板11を挟持してカシメ固定するようになっている。
尚、図示しないが天板11に設けた下孔11ａにバーリング加工を施し、この下孔縁面にスライド金具７を挿通するタッピングネジを螺合させることによってスライド金具７を天板11に取り付けても良いものである。
また、前記吐出口51背後位置の天板11部分に取り付けたＬ型のスライド金具７は脱臭ユニットａ２を差し入れた時のストッパーになる。
【００１８】
フード部ａ１と脱臭ユニットａ２からなるレンジフードファンＡは、下面にエアー漏れ防止用のパッキン15を貼着した両側の外向きフランジ５、５を両側のＬ型のスライド金具７、７に前方から差し入れることでセットした後、そのスライド金具７、７に差し込まれない外向きフランジ５を天板11にネジ止めする等所望の手段で取付けられる。
フード部ａ１と脱臭ユニットａ２との組み付け作業はフード部ａ１と脱臭ユニットａ２とに分解して施工現場に搬入し、フード部ａ１を室壁Ｂの所定高さ位置に取付け施工した後行ったり、施工現場で室壁Ｂに取付け施工する前作業で行うことも可能であるし、出荷前に行っても良いものである。
【００１９】
斯様に構成されたレンジフードファンＡは燃焼ガスを発生しない調理器具（例えば電気コンロ、電磁プレート等）（図示せず）に対応してその真上の室壁Ｂ所定高さ位置に取付けられ、送風機41の吐出口51から脱臭フィルター３を介してルーバー14に至る気体流路200 を形成して、調理臭を脱臭して室内に給気還流する。
ルーバー14は風向板14ａ…を一括して傾動方向を可変できる手動機構（図示せず）を具備する周知の構造とし、下向きにすることによってフード部ａ１の前面に沿って清浄化した空気を流下させて何度でも作動中にエンドレスに脱臭することができる。
【００２０】
図６は前記ルーバー14の風向板14ａ…の向き調節手段８を、前記ボックス２の側壁部22の外側であって幕板100 との間のスペースを利用して配設したモータ（後述では正逆回転モータ）18及びそれに連絡する連絡部28とで構成して、向き調節手段８で風向板14ａ…の向きを可変可能にしたものである。
連絡部28は前記正逆回転モータ18の駆動軸18ａに連結するアーム28ａに、複数の風向板14ａ…の一端に枢支した連絡バー28ｂの下端を枢支し、前記アーム28ａが回動した時にＯＮされるリミットスイッチ（図示せず）を正逆回転モータ18内に内蔵した構成としている。
この向き調節手段８は風向板14ａ…が通常では下向き傾斜状になっており、フード本体１の前面の操作部71に配置されたスイッチ（図示せず）を調理者がタッチ操作等することによって正逆回転モータ18を駆動（正転）させてアーム28ａを下向きに回動させて風向板14ａ…を上向き傾斜状にすると同時にリミットスイッチがＯＮされて正逆回転モータ18がストップし、また同スイッチを調理者がタッチ操作して正逆回転モータ18を駆動（逆転）させることによってアーム28ａを上向きに回動させて風向板14ａ…を下向き傾斜状にすることができる。
【００２１】
尚、前記正逆回転モータ18の替わりに正転モータを使用することもできる。この場合には前記前壁部12に設けた受け部43’に一端を係止した引っ張りバネ（２点鎖線）28ｃを連絡バー28ｂの上端に係止すると共にモータ内部にクラッチ機構（図示せず）設けてなり、前記スイッチを調理者がタッチ操作するとクラッチ機構が作動し噛み合い関係を構成して前記アーム28ａを下向きに回動させて連絡バー28ｂを介して風向板14ａ…を上向き傾斜状にすると同時に前記リミットスイッチがＯＮされて停止し、再度通電すると前記クラッチ機構の噛み合い関係が解除されて、引っ張りバネ（２点鎖線）28ｃの引っ張り力で戻る構成にする。
【００２２】
図７はフード本体１に設けられた人感センサー９が調理者を感知した時にルーバー４の前記風向板14ａ…を上向き傾斜状に傾動させる構成としたものである。人感センサー９は図示するようにフード本体１下面前側部分に下向きに配設され、調理者を感知した時に駆動部10とする前記正逆回転モータや正転モータを駆動させるようになっている。
前記駆動部10にはアーム28ａに枢支する長尺な連絡バー28ｂを備えた前記連絡部28と同様な機構や更に引っ張りバネ（２点鎖線）28ｃ、クラッチ機構を具備した前記連絡部28と同様な機構が連絡してある。
【００２３】
この図６や図７に示す実施の形態では、室内に給気還流される清浄化された空気が調理者の顔や頭に注いで不快な時に簡単なスイッチ操作や自動的に給気還流の向きを室天井Ｃ方向に変えることができる。
【００２４】
図８はフード部がブーツ型の場合を示している。
このブーツ型のフード部ａ１は前面と下面とを開放したフード本体１とその前面開放部を開閉する前板１’と、フィルター31と、その背後の送風機41とを有する従来から周知な構造のものであり、フード本体１の天板11上に設けられる脱臭ユニットａ２は前記のように側面視略下向Ｌ形状ではなく側面視横長矩形状になっている点、脱臭フィルター３を水平状に支承する奥行き側（後方側）の受け部43’をボックス２下縁から幅方向全長に亘って設けられた帯板状の斜遮壁42の頂部に設けた点、奥行き側の外向きフランジ５がない点以外は前記脱臭ユニットａ２と構造的に差異はない。
これによって送風機41の吐出口51から斜遮壁42上方の空間、脱臭フィルターを３経由してルーバー14に至る気体流路200 が構成され、ルーバー14からフード部ａ１前面（詳細には前板前面）に沿って給気する清浄化された空気を捕捉して脱臭フィルター３で清浄化させ、再び給気して何度でも作動中にエンドレスに脱臭することができる。
この実施の形態においてもルーバ14における風向板14ａ…の向き調節手段８として図６や図７に示す構成を採用するのは自由である。
【００２５】
図９は平型のフード部ａ１上に設けられる脱臭ユニットａ２の変形例を示し、図８で示すブーツ型のフード部ａ１上に設けられる脱臭ユニットａ２と同様な構造になっており、同一符号を付けて説明は省略する。
【００２６】
尚、図示しないが、送風機41の作動及びその停止は調理器具（電気コンロ、電磁プレート）のＯＮ・ＯＦＦに連動するようにしてあり、更に前記フード部ａ１の前面に配設した操作部71に連係する制御部（図示せず）に調理器具がＯＦＦされると遅延タイマーが働いて送風機41が所定時間運転を続行するようにしても良いものである。
即ち、「３０分」、「６０分」、「９０分」、「１２０分」、「１５０分」、「１８０分」等の操作部71に設けたセレクトスイッチで遅延時間を予め設定しておくことによって調理器具がＯＦＦされると選択時間だけ遅延タイマーが働いて送風機の運転を続行する。
これにより調理器具を停止した後の調理物から立ち昇る臭気や室内に紛れる臭気を脱臭して室内を浄化することができる。
【００２７】
【発明の効果】
本発明は以上のように構成したから、下記の利点がある。
（請求項１）調理器具上方の室壁所定高さ位置にフード部を取り付ける簡単な作業で燃焼ガスを発生しない調理器具からの調理臭を脱臭して室内に還流するレンジフードファンを新規に提供できる。
そして、フード部の天板上に設けられた脱臭ユニットは脱臭フィルターを水平状に支承したため偏平箱状でコンパクトで済む。そのため、地方自治体の火災予防法令に適合した高さ位置に取り付けできる安全性を失わない。
（請求項２）その上、脱臭フィルターを、四大悪臭であるアンモニア、トリメチルアミン、硫化水素、メチルメルカプタンは勿論、吉草酸、フェノール、ＮＯx 等調理臭に含まれる成分を効果的に除去する優れた特性を有する無機系イオン吸着型の顆粒状消臭剤にしたから、還流で室内が汚染される虞れがなく、室内を清潔な環境に維持できる。また、洗浄で何度でも繰り返し使用できる性質もあり、燃焼ガスを発生しない調理器具からの調理臭を脱臭するレンジフードファンの低廉下での提供に寄与する。
更に、前記のように調理臭の除去に優れた特性を有する無機系イオン吸着型の顆粒状消臭剤からなる脱臭フィルターを水平状に支承すると顆粒状消臭剤を全域に亘って均一に分布させることができる。そのため、例えばその脱臭フィルターを縦置した場合のように目詰まりや酸やアルカリの極性ガス吸着による重量化（粒の重量化）による沈み込みで形成される上層部の圧力損失の少ない隙間から調理臭が浄化されずに室内に給気されるようなことがなくなり、無機系イオン吸着型の顆粒状消臭剤の特性を発揮して調理臭を確実に除去できる。
（請求項３）また、脱臭した室内への還流がフード部の捕捉空間に吸引されて何度でも脱臭される仕組になるから、臭気の飛散を防止し併せて調理器具から立ち昇る臭気の吸込効果を向上させて効率的に脱臭できる。
（請求項４）しかも、手動ではなく電動のため、給気が直接調理者に当たり不快な時のルーバー風向の切替操作が簡単である。
（請求項５）その還流の風向きの変更が調理者の感知で自動的に行われるから、操作を全く必要とせず、調理作業等を中断する不都合もない。
（請求項６）また、前記する脱臭フィルターは室内の臨む前面からカートリッジ式に抜き差しでき、メンテナンスが非常に簡単である。
（請求項７）脱臭ユニットとして認識されないから、内装性を害したり、違和感を惹起したりせず、キッチンの使用感を損なわない。
（請求項８）フード部を室壁の所定高さ位置に取付け施工した後脱臭ユニットを取付けたり、施工現場でフード部に脱臭ユニットを組み付けた後室壁に取付け施工する場合でもフード部と脱臭ユニットとの連結が簡単である。
その上、フード部は旧来構造のレンジフードファンにスライド金具を付設するだけで良いものであるから、生産性が良く且つ低廉である。
（請求項９）しかも、送風機を調理器具の作動を停止した後、遅延タイマーの働きで所定時間運転させて調理器具を停止した後の調理物から立ち昇る臭気や室内に紛れる臭気を脱臭して室内を浄化するようになっているから、キッチンの内気の浄化が行える。
【図面の簡単な説明】
【図１】平型レンジフードファンの取付け状態を示す側面図で一部切欠して示す。
【図２】同レンジフードファンの分解斜視図。
【図３】同レンジフードファンの正面図で一部切欠して示す。
【図４】脱臭フィルターの斜視図。
【図５】図４の（Ｘ）−（Ｘ）線拡大断面図。
【図６】ルーバー部分の拡大断面図。
【図７】ルーバーを人感センサーで制御動する場合のレンジフードファンの側面図で一部切欠して示し、（ａ）はルーバーにおける風向板が下向きに傾斜している状態を示す。（ｂ）は人感センサーが調理者を感知して前記風向板が上向きに傾斜している状態を示す。
【図８】ブーツ型レンジフードファンの側面図で一部切欠して示す。
【図９】平型レンジフードファンの変形例を示す側面図で一部切欠して示す。
【符号の説明】
ａ１：フード部                          11  ：天板
41  ：送風機                            51  ：吐出口
ａ２：脱臭ユニット                      ４  ：給気口
２  ：ボックス                          ３  ：脱臭フィルター
12  ：ボックスの前壁部                  200 ：気体流路
14  ：ルーバー                          14ａ：風向板
13  ：無機系イオン吸着型の顆粒状消臭剤  ８  ：向き調節手段
18  ：モータ                            28  ：連絡部
９  ：人感センサー                      10  ：駆動部
６  ：取出口                            100 ：幕板
７  ：スライド金具                      ５  ：被係合部
Ａ  ：レンジフードファン                Ｂ  ：室壁
Ｃ  ：室天井                            16  ：扉
【図１】
0003780049.tif 000002
【図２】
0003780049.tif 000003
【図３】
0003780049.tif 000004
【図４】
0003780049.tif 000005
【図５】
0003780049.tif 000006
【図６】
0003780049.tif 000007
【図７】
0003780049.tif 000008
【図８】
0003780049.tif 000009
【図９】
0003780049.tif 000010